(57)【特許請求の範囲】
【請求項１】
微小な振動が製品に甚大な悪影響を及ぼす製造ラインは１階のみにレイアウトされ、左程振動に関し神経質になる必要のないその余の機能は２階以上にレイアウトされ、１階床躯体を含む建物躯体は特定の部位において力学的に縁を切られ、前記１階床躯体は前記建物躯体から絶縁されて、１階床躯体と該１階床躯体を除く建物躯体に２分された複合構造複数階建物において、
前記１階床躯体は、少なくとも前記製造ラインを支持する領域を支える複数の免震支承を備えた免震構造とされ、前記１階床躯体を除く建物躯体は、前記免震支承を備えない免震構造以外の構造とされ、前記免震支承は前記１階床躯体を除く建物躯体を支える本体基礎から独立した床基礎の上に設置されていることを特徴とする複合構造複数階建物。
【請求項２】
前記床基礎は、複数の独立フーチング、あるいは該フーチングとそれを繋ぐ梁とで構成されていることを特徴とする請求項１に記載された複合構造複数階建物。
【請求項３】
前記床基礎は、所定の厚さの盤状基礎であることを特徴とする請求項１に記載された複合構造複数階建物。
【請求項４】
前記絶縁された１階床躯体は、床スラブと該スラブ下面を支承する床梁とからなり、該床梁が前記免震支承に支承されていることを特徴とする請求項１乃至請求項３のいずれかに記載された複合構造複数階建物。
【請求項５】
前記１階床躯体は、連続する１枚の床構造体とされ、前記複合構造建物の柱及び外壁との間において隙間が形成され、地震による振動に対するクリアランスが設けられていることを特徴とする請求項１乃至請求項４のいずれかに記載された複合構造複数階建物。
【請求項６】
前記１階床躯体が所定長さを越えるものであるとき、複数枚の床構造体に分割され、その分割部位にてエキスパンションジョイント部が形成されていることを特徴とする請求項５に記載された複合構造複数階建物。
【発明の詳細な説明】
【技術分野】
【０００１】
この発明は、複合構造複数階建物に関し、特に１階の床躯体の少なくとも前記製造ラインを支持する領域を免震した複合構造複数階建物に関する。
【背景技術】
【０００２】
従来、基礎部と上部構造物との間に介在された免震装置において、基礎部に対して上部構造物を水平方向に滑動可能に支承する滑り支承と、上部構造物と基礎部とに上下端部がそれぞれ固定されて水平方向に弾性変形可能な弾性体とを備え、滑り支承及び弾性体の両方で上部構造物の鉛直荷重を受け止めるようにした免震装置が提案されている。
【特許文献１】特開平０８−１５８６９７号公報
【０００３】
また、上部フレームと下部フレームとの間に、弾性体と流体ダンパよりなる上下振動の減衰吸収機能を有する免震ユニットを介装し、下部フレームとコンクリート床との間には、水平震動の吸収機能を有する弾性体よりなる水平ばねと下部フレームを支承するベアリングボールとを介装し、上部フレームにフリーアクセス床を形成し、下部フレームの一部を立ち上げてこの下部フレームの上部とコンクリート床上に設置したアクセス床との間に、水平震動を吸収するクッション材を介装し、上部フレーム側面と下部フレーム側面との間に複数のベアリングボールを介装した免震床構造が提案されている。
【特許文献２】特許第２７６０８２２号公報
【０００４】
以上のように、特許文献１に記載された発明は、建物全体を免震するものであり、一方、特許文献２に記載された発明は、特定のフロアの一部区画において電算機を収容するため、フリーアクセス床を構成する特定の一区画を免震の対象とするものである。
【０００５】
これに対し本発明は、例えば半導体製造装置を製造するための工場の建物のように、微小な振動が製品に甚大な悪影響を及ぼす製造ラインは１階のみにレイアウトし、左程振動に関し神経質になる必要のないその余の機能を２階以上にレイアウトする建物において、１階の床躯体のみを、少なくとも前記製造ラインを支持する領域において免震しようとするものである。
しかしながら、前記特許文献１、２に記載された発明には、このような設計思想は全く存在しない。
【発明の開示】
【発明が解決しようとする課題】
【０００６】
そこで本発明は、建物全体を免震するもののように、免震不要部を含めて免震対策を施すことに伴う無駄なコストを省き、免震対策が必要とされる１階のフロア全体あるいは前記製造ラインを支持する領域を対象として免震することができる新規の複合構造建物を提供することを目的とするものである。
【課題を解決するための手段】
【０００７】
請求項１に係る発明は、微小な振動が製品に甚大な悪影響を及ぼす製造ラインは１階のみにレイアウトされ、左程振動に関し神経質になる必要のないその余の機能は２階以上にレイアウトされ、１階床躯体を含む建物躯体は特定の部位において力学的に縁を切られ、前記１階床躯体は前記建物躯体から絶縁されて、１階床躯体と該１階床躯体を除く建物躯体に２分された複合構造複数階建物において、前記１階床躯体は、少なくとも前記製造ラインを支持する領域を支える複数の免震支承を備えた免震構造とされ、前記１階床躯体を除く建物躯体は、前記免震支承を備えない免震構造以外の構造とされ、前記免震支承は前記１階床躯体を除く建物躯体を支える本体基礎から独立した床基礎の上に設置されているものである。
【０００８】
請求項２に係る発明は、床基礎が、複数のフーチングと、該フーチング同士を繋ぐ梁とて構成されていることを特徴とし、請求項３に係る発明は、床基礎が、所定の厚さの盤状基礎とされていることを特徴としている。
【０００９】
請求項４に係る発明は、絶縁された１階床躯体は、床スラブと該スラブ下面を支承する床梁とからなり、該床梁が前記免震支承に支承されていることを特徴としている。
【００１０】
請求項５に係る発明は、１階床躯体は、連続する１枚の床構造体とされ、複合構造建物の柱及び外壁との間において隙間が形成され、地震による振動に対するクリアランスが設けられていることを特徴としており、請求項６に係る発明は、１階床躯体が所定長さを越えるものであるとき、複数枚の床構造体に分割され、その分割部位にてエキスパンションジョイント部が形成されていることを特徴としている。
【発明の効果】
【００１１】
請求項１に係る発明によれば、複合構造建物を、１階床躯体を支える複数の免震支承を備えた免震構造と、免震支承を備えない免震構造以外の構造からなる本体躯体とで構成し、１階床躯体は本体躯体から絶縁されているとともに、免震支承は本体躯体を支える本体基礎から独立した床基礎の上に設置することとしたから、免震支承の品質と数量を削減して、免震不要部を含めて免震対策を施すことに伴う無駄なコストを省くことができる。
【００１２】
請求項２に係る発明によれば、床基礎が、複数の独立フーチングのみ、あるいは、ロングスパン時等必要に応じて、該フーチングとそれを繋ぐ梁とで構成されているから、少ないコンクリート数量で構成することができる。
【００１３】
請求項３に係る発明は、床基礎が、所定の厚さの盤状基礎とされていることから、工事内容を簡素化することができる。
【００１４】
請求項４に係る発明によれば、絶縁された１階床躯体は、床スラブと該スラブ下面を支承する床梁とからなり、該床梁が免震支承に支承されているから、重量物が積載される１階床躯体の強度を維持するための配筋量・セメント量を削減し、鉄筋コンクリートの材料費を削減するとともに床躯体の工事内容を簡素化することにより、大幅なコストダウンを図ることができる。
【００１５】
請求項５に係る発明によれば、１階床躯体は連続する１枚の床構造体とされ、建物の柱及び外壁との間において隙間が形成され、地震による振動に対するクリアランスが設けられているから、地震時における１階床躯体と建物との衝突を避けることができ、床躯体の円滑な免震を保証することができる。
【００１６】
請求項６に係る発明によれば、１階床躯体が所定長さを越えるものであるとき、複数枚の床構造体に分割され、その分割部位にてエキスパンジョンジョイント部が形成されているから、床スラブの熱膨張や熱収縮によるクリアランスの偏在を防止することができる。
【発明を実施するための最良の形態】
【００１７】
本発明において「免震支承を備えない免震構造以外の構造」とは、耐震構造または制震構造を意味する。
建物を耐震構造とするためには、基礎は杭に剛接合するか、あるいは半剛接して、柱と梁でラーメン架構を築く。さらに剛性を高める必要がある場合、構面内にブレース、耐震壁を導入する。
一方、建物を制震構造とするためには、同じく柱と梁でラーメン架構を築いた上で、例えばダンパー等の減衰手段を組み込んだブレースや間柱を構面内に固定する。
また、免震装置としては、滑り支承、積層ゴム支承等の公知の免震装置を用いることができる。
【実施例】
【００１８】
本発明は比較的低層の建物に適用されるが、図１は、本発明に係る２階建て建物の免震装置の実施例を示す、図２のＡ−Ａ線矢視図である。図２は、本発明に係る２階建て建物の１階平面図であり、一部において床基礎を透視している。
そして図３は、図１の部分拡大図である
本発明の実施例について図１乃至図３を参照して詳しく説明する。
【００１９】
建物１の躯体を構成する柱５は、適宜間隔で打設された杭２に剛接合または半剛接されたフーチング３に剛接合され、梁６は柱５に剛接合されて柱５と梁６にてラーメン架構を構成し、この構成により建物１の躯体は耐震構造とされている。
【００２０】
１階床躯体７は、床スラブ８と該床スラブ下面を支承するＨ形鋼材製の床梁９とから構成されており、建物１の躯体とは力学的に絶縁されている。
そしてこの１階床躯体７の床梁９が、前記基礎３とは独立した別体の床基礎１１に、免震装置１２を介して支承されている。
本実施例においては基礎梁を構築している。このため、免震装置１２は、上記した独立床基礎１１に据え付けるだけでなく、付加的に基礎梁上端面に据え付けることも可能である。
このような構成にすれば、基礎梁上端面を含めて免震装置１２の安定した設置箇所とすることができることから、免震装置の設置数を均等に増やすことにより単一の免震装置に求めるべき品質を引き下げることができる。
基礎梁と床基礎１１の上端面を一致させれば、同一規格の免震装置を使用することが可能で、全体として大幅のコストダウンを図ることができる。
【００２１】
床基礎１１は、本実施例においては複数の独立フーチングのみにて構成しているが、ロングスパン時等必要に応じて、該フーチングとそれを繋ぐ梁とで構成することができる。
さらには、所定の厚さの盤状基礎とすることもできる。
【００２２】
免震装置１２は、積層ゴム支承あるいは滑り支承が好ましいが、建物周辺寄り部位を積層ゴム支承にて支承し、建物中央寄り部位を滑り支承にて支承するハイブリッド方式としてもよい。
【００２３】
床躯体７は、本実施例のような平板状の床スラブ８下面をＨ形鋼材製の床梁９にて支承するものに代えて、床と梁が一体のフラットスラブ、あるいは免震装置１２の支承部位を下方に厚くしたドロップパネルとすることもできる。
また、１階床躯体７は、連続する１枚の床スラブ８とすることもできるが、所定長さを越えるものであるときは、複数枚の床スラブ８に分割することが望ましい。
そして、その分割部位にてエキスパンションジョイント部を形成して、床スラブ８の伸縮を吸収するようにする。
いずれの形態をとるとしても、１階床躯体７は、建物１の柱５及び外壁との間において隙間が形成され、地震による振動に対するクリアランス（隙間）Ｃが設けられている。
【００２４】
建物１の１階空間は、空間全体の上方を覆う天井１３と、柱５の周囲及び建物外壁内周を覆い下方にレタン空気取入口１４を有する空調用レタンシャフト１５とにより仕切られ、クリアランスＣの全部または一部は空調用レタンシャフト１５にて遮蔽され、柱５及び外壁と床躯体７の隙間Ｃを効果的に覆うことができることから、空調用レタンシャフト１５内における上昇気流と相俟って、隙間Ｃから埃等が落下することを防ぐことができる。また、床部を美麗に仕上げることができるものである。
【００２５】
なお、以上の説明においては、１階の床全体を床躯体として免震構造とするとしているが、微小な振動を嫌う製品を置いたり通過させることがあり得ない領域については、床躯体を構築することなく土間打ちとすることも可能である。
【００２６】
以上のとおり、本発明によれば、１階床躯体を含む建物躯体を特定の部位において力学的に縁を切って、１階床躯体とそれを除く建物躯体本体に２分し、１階床躯体は免震装置を介して、また建物躯体本体は直接、各々系を異にする基礎に支承されるという極めて単純な構造により、例えば半導体製造装置を製造するための工場の建物のように、微小な振動が製品に甚大な悪影響を及ぼす製造ラインが据え付けられた１階の床躯体のみを全体的に免震することが可能となった。
この構造により、建物全体を免震する、すなわち、免震不要部を含めて免震対策を施すことに伴う無駄なコストを省き、工事期間を短縮することが可能となった。
【図面の簡単な説明】
【００２７】
【図１】本発明に係る２階建て建物の免震装置の実施例を示す、図２のＡ−Ａ線矢視図である。
【図２】本発明に係る２階建て建物の１階平面図である。
【図３】図１の部分拡大図である。
【符号の説明】
【００２８】
１  建物
２  杭
３  基礎
５  柱
６  梁
７  床躯体
８  床スラブ
９  床梁
１１  床基礎
１２  免震装置
１３  天井
１４  レタン空気取入口
１５  空調用レタンシャフト
Ｃ  クリアランス（隙間）
【図１】
0005464814.tif 000002
【図２】
0005464814.tif 000003
【図３】
0005464814.tif 000004